(57)【特許請求の範囲】
【請求項１】
少なくとも１つの垂木と屋根野地板の一部分とを固定するためのシステムであって、
互いに垂直に配置された第１の平面部および第２の平面部を有し、したがって前記第１の平面部と前記第２の平面部との間で９０度または約９０度の角度に曲がっているブラケットと、
前記第２の平面部から離れる方向に向いた前記第１の平面部の第１の表面から外向きに延びる、横方向に互いに間隔をあけて設けられた複数の突出部であり、該複数の突出部と前記屋根野地板の隣接部分を係合させる位置に前記ブラケットを配置したときに、前記複数の突出部を除く前記第１の平面部を前記屋根野地板と間隔をあけた関係に配置するための複数の突出部と、
前記第１の平面部を貫通する、横方向に互いに間隔をあけて設けられた複数の接着剤充填孔と、
前記第２の平面部を貫通する、横方向に互いに間隔をあけて設けられた複数の締結孔と、
を備えるシステム。
【請求項２】
前記第１の平面部を貫通し、横方向に互いに間隔をあけて設けられた複数のインジケータ孔であって、前記接着剤充填孔から横方向に間隔をあけられた複数のインジケータ孔をさらに備える、請求項１に記載のシステム。
【請求項３】
各々が少なくとも部分的に前記締結孔を通って前記少なくとも１つの垂木内に押し入れられる複数の機械的締結具をさらに備え、もって、前記第１の平面部から延びる前記複数の突出部と前記屋根野地板の隣接部分とを係合させる位置にて、前記ブラケットが前記少なくとも１つの垂木に機械的に固定されるようになっている、請求項２に記載のシステム。
【請求項４】
前記屋根野地板と、前記ブラケットにおける前記第１の平面部の前記第１の表面との間に設けられた接着材料層をさらに備え、もって、前記屋根野地板および前記ブラケットの前記第１の平面部が互いに固定され、前記接着材料層の少なくとも一部分が、前記第１の平面部の第２の表面から前記複数のインジケータ孔の少なくとも１つを通して視認可能となっている、請求項３に記載のシステム。
【請求項５】
前記第１の平面部および前記第２の平面部の両方に連結された少なくとも１つのガセットをさらに備え、もって、前記第１の平面部の末端部分および前記第２の平面部の末端部分が互いに接近する方向への動きに抵抗するようになっている、請求項３に記載のシステム。
【請求項６】
前記第１の平面部および前記第２の平面部の両方の第１の端部分に連結された第１のガセットと、前記第１の平面部および前記第２の平面部の両方の第２の端部分に連結された第２のガセットとをさらに備え、もって、前記第１の平面部の末端部分および前記第２の平面部の末端部分が互いに接近する方向への動きに抵抗するようになっている、請求項３に記載のシステム。
【請求項７】
前記ブラケットが、
互いに対して垂直に配置された第３の平面部および第４の平面部であり、該ブラケットが、前記第３の平面部と前記第４の平面部との間で９０度または約９０度の角度に屈曲される、第３の平面部および第４の平面部と、
前記第４の平面部から離れる方向に向いた前記第３の平面部の第１の表面から外向きに延びる、横方向に互いに間隔をあけて設けられた複数の突出部であり、該複数の突出部と前記屋根野地板の隣接部分を係合させる位置に前記ブラケットを配置したときに、前記複数の突出部を除く前記第３の平面部を前記屋根野地板と間隔をあけた関係に配置するための複数の突出部と、
前記第３の平面部を貫通する、横方向に互いに間隔をあけて設けられた複数の接着剤充填孔と、
前記第２の平面部の末端部分と前記第４の平面部の末端部分との間で延びるコネクタ部と
を備える、請求項３に記載のシステム。
【請求項８】
前記コネクタ部が、前記第２の平面部および前記第４の平面部を互いに対して略平行に離間した関係に配置する形状にされている、請求項７に記載のシステム。
【請求項９】
前記第２の平面部および前記第４の平面部が、互いから約１．５インチの間隔をあけて設けられている、請求項８に記載のシステム。
【請求項１０】
接着剤と開口連通状態にあるノズルを有する接着剤供給デバイスをさらに備え、
前記ノズルが、前記接着剤充填孔の少なくとも１つの形状に近似するような形状にされた末端部分を有する、請求項１に記載のシステム。
【請求項１１】
前記接着剤供給デバイスの前記ノズルの末端部分が、前記ノズルの末端部分から延びる環状のカラーを有する形状にされ、前記カラーが接着剤充填孔の寸法に近似する寸法にされている、請求項１０に記載のシステム。
【請求項１２】
接着剤と開口連通状態にあるノズルを有する接着剤供給デバイスと、
両側の開口した端部分と、前記両側の端部分間で延びる開口した中央キャビティとを有するカットガイドと
をさらに備え、前記両側の端部分の各々が、前記ノズルの部分が前記両側の端部分を貫通し、前記カットガイドから突出する前記ノズルの部分を離れる寸法にされている、請求項１に記載のシステム。
【請求項１３】
前記カットガイドが、前記カットガイドの側面部分から外向きに延びる一対の対向する支持アームを含み、前記支持アームが、前記カットガイドから半径方向に突出する際にわずかに湾曲され、ユーザの指を受けるような形状にされている、請求項１２に記載のシステム。
【請求項１４】
前記ブラケットが、該ブラケットの前記第１の平面部の前縁部から外向きに延びる先端の尖った突出部をさらに備える、請求項１に記載のシステム。
【請求項１５】
前記突出部が、前記ブラケットの前記第１の平面部の前縁部の中央部分から延びる、請求項１４に記載のシステム。
【請求項１６】
前記ブラケットが、該ブラケットの前記第２の平面部から延びる支持アームをさらに備え、前記ブラケットが取付位置にあるとき、前記支持アームが、垂木の側面に接して配置される第１の部分と、前記垂木の底縁部に接して配置される第２の部分とを含む、請求項１に記載のシステム。
【請求項１７】
前記支持アームの第２の部分が、ある角度で前記支持アームから離れる方向に延びるよう配置される１つ以上のスピードプロングを含む、請求項１６に記載のシステム。
【請求項１８】
少なくとも１つの垂木を屋根野地板の一部分に固定するための方法であって、
互いに垂直に配置された第１の平面部および第２の平面部を有するブラケットを用意するステップであり、前記ブラケットは、前記第１の平面部と前記第２の平面部との間で９０度または約９０度の角度に曲がっており、横方向に互いに間隔をあけて設けられた複数の突出部が、前記第２の平面部から離れる方向に向いた前記第１の平面部の第１の表面から外向きに延び、横方向に互いに間隔をあけて設けられた複数の接着剤充填孔が前記第１の平面部を貫通し、横方向に互いに間隔をあけて設けられた複数の締結孔が前記第２の平面部を貫通し、前記接着剤充填孔より小さい、ステップと、
前記第１の平面部から延びる前記複数の突出部が野地板の一部分と係合して、前記複数の突出部を除く前記第１の平面部が前記野地板と間隔をあけた関係に配置されるように、かつ、前記第２の平面部が少なくとも１つの垂木に接して配置されるように前記ブラケットを配置するステップと、
少なくとも部分的に前記締結孔の少なくともいくつかを通って前記少なくとも１つの垂木内に複数の機械的締結具を固定するステップと、
前記第１の平面部にある前記複数の接着剤充填孔の少なくとも１つを通して接着剤を配置することで、前記野地板と前記ブラケットの前記第１の平面部の第１の表面との間に接着剤層を形成し、前記野地板および前記ブラケットの前記第１の平面部を互いに固定するステップと、
を含む方法。
【請求項１９】
前記ブラケットが、前記第１の平面部を貫通し、前記接着剤充填孔から横方向に間隔をあけられた、横方向に互いに間隔をあけられた複数のインジケータ孔をさらに含み、
前記接着剤層が前記複数のインジケータ孔の少なくとも１つを通して視認可能になるまで、接着剤を前記複数の接着剤充填孔の少なくとも１つを通して配置する、請求項１８に記載の方法。
【請求項２０】
前記ブラケットには、前記第１の平面部および前記第２の平面部の両方に連結された少なくとも１つのガセットがさらに設けられ、前記第１の平面部の末端部分および前記第２の平面部の末端部分が互いに接近する方向への動きに抵抗するようになっている、請求項１８に記載の方法。
【請求項２１】
前記ブラケットには、互いに対して垂直に配置された第３の平面部および第４の平面部が設けられており、前記ブラケットが、前記第３の平面部と前記第４の平面部との間で９０度または約９０度の角度で屈曲され、横方向に互いに間隔をあけて設けられた複数の突出部が前記第４の平面部から離れる方向に向いた前記第３の平面部の第１の表面から外向きに延び、横方向に互いに間隔をあけて設けられた複数の接着剤充填孔が前記第３の平面部を貫通し、コネクタ部が前記第２の平面部の末端部分と前記第４の平面部の末端部分との間に延びており、
当該方法は、少なくとも部分的に前記締結孔の少なくともいくつかを通って前記少なくとも１つの垂木内に複数の機械的締結具を固定する前記ステップの前に、前記第１の平面部および前記第３の平面部から延びる前記複数の突出部が野地板部分の一部分と係合して、前記複数の突出部を除く前記第３の平面部が前記野地板と間隔をあけた関係に配置されるように、かつ、前記第２の平面部および前記第４の平面部が前記少なくとも１つの垂木の両側面に接して配置されるように前記ブラケットを配置するステップをさらに含む、請求項１８に記載の方法。
【請求項２２】
前記第３の平面部にある前記複数の接着剤充填孔の少なくとも１つを通して接着剤を配置することで、前記野地板と前記ブラケットの前記第３の平面部の第１の表面との間に接着剤層を形成し、前記野地板および前記ブラケットの前記第３の平面部を互いに固定するステップをさらに含む、請求項２１に記載の方法。
【発明の詳細な説明】
【背景技術】
【０００１】
[0001]ハリケーンや竜巻、その他暴風の事象により、毎年世界中で何千もの住宅や準商用ビルが損壊または破壊されている。暴風下で風が屋根に吹き付けられることで、屋根構造に揚力を生じさせる負の圧力が生じてしまう。これは悪天候により家やその他の建物が破壊される最も一般的な要因の１つである。このような事態を生む原因の１つとして挙げられるのが、建築工法の不備である。ここ数十年間に建築された多くの住宅の屋根野地板は、釘や股釘の多くがマークから完全に外れて打設され、重要な屋根要素がしっかりと固定されずに釘や股釘の設置品質が低くなっているため、木製の支持トラスや垂木への取付けが不完全であることがよく知られている。同様に、屋根トラスは、隣接する壁の上部に釘を斜めに打ち込んだだけである場合も多い。しかしながら、釘が暴風時に構造的な利点を与えることはほとんどない。従来の住宅建設は、屋根を適所に保つために重力と摩擦に依存している。しかしながら、暴風時、屋根が建物の残りの部分からはがされないようにするには、重力だけでは不十分である。屋根がはがされてしまうと、建物の脆弱化や崩壊は避けられない。
【０００２】
[0002]屋根を壁に留めるためのさまざまな製品がこれまで開発されてきた。例えば、金属ストラップを壁に打設してトラスを覆うものや、特殊な低伸長性の材料からなる一時的なストラップを屋根構造や住宅およびその他の建物の基礎に固定し、構造的な安定性を高めるものなどである。しかしながら、ハリケーン対策用のハーネスストラップは、嵐の前にシステムを手作業で適用して有効にする必要がある。これは、建築物が別荘の場合や高齢者や障害者が居住する住宅の場合、実用的ではないこともある。
【０００３】
[0003]他にも、建物が強風や風津波を乗り切る可能性を高くするために建物の構造的な完全性を高める種々の方法が開発されてきた。新しい建築物を建てるさいに高い耐風荷重構造を義務付けたフロリダ州デイド郡のような地域の建築基準法の強化に高い関心が寄せられており、このような強い風力にさらに耐え得るように既存の構造を改修する取り組みが一部なされてきた。しかしながら、これまでとられてきた改修手法は、この重要な需要を満たすにはあまり得策とは言えない。なぜなら、接着剤を使用する案の場合、激しい嵐の中で建物に極度に強い応力がかかると効力を失うことから不適切であるし、その他の有効な案（スプレー接着剤／発泡剤）は非常に費用がかかり、建物の所有者が使用するにしても、設置には危険や煩わしさが伴うためである。本技術の１つの態様は、特に、屋根野地板を垂木およびトラスにより良好に固定して水分の侵入を防ぐために屋根システム全体をより良好に密封するという課題に着目したものであり、危険性を下げ、コストを抑え、特殊な設備や熟練度をほとんどまたはまったく必要とせず、効果や信頼性が高く、あらゆる建設業者によって、また、家の所有者でも自ら簡単に実行可能なようにして実現する。
【０００４】
[0004]ＩＴＷ  Ｄｅｖｃｏｎ  ＣｏｍｐａｎｙのＦｏａｍｓｅａｌ  Ｈｕｒｒｉｃａｎｅ  Ａｄｈｅｓｉｖｅは、現在業界で使用されている２成分スプレータイプのポリウレタンフォーム製品の代表的なものである。これらの製品は、屋根裏での作業中、４’×８’合板またはＯＳＢ野地板と木製の垂木またはトラスとの間の継手の裏側および野地板間の組込み１／８”〜１／４”間隙の裏側に吹き付けられる。最初の状態では液状のこれらの製品は、適用されるとすぐに硬化し始め、わずか数分で高い引張強さを備えた剛性フォームになる。これらの製品は、硬化すると強度が増し、接触する木製部品に対して優れた接着を確立する。報告によれば、これらの硬化したポリウレタンフォームは、強風時の屋根野地板の揚圧力強度が２．５〜３倍増大し、通常、ハリケーン時に発生するような、屋根板およびタール紙が屋根表面から吹き飛ばされたさい、構造体に入り込む雨水をほとんどまたはすべて防止するために、野地合板間の組込み継手を目張りするのにも役立つ。これらの２成分からなる高反応性フォーム製品は、住宅または商用ビルにつき何千ドルにも及ぶコストをかけ、非常に特殊な２成分スプレー装置を用いて特殊な技能を備えた施工業者によって適用されなければならない。この作業を行う施工業者は、吹付けプロセスで生じる煙霧（特に、フォーム形成時の化学反応で放出されるイソシアネート類）による被害を防止するために、防護服や耐化学物質用の呼吸マスクを着用する必要があり、このような対策をとらなければ、煙霧が肺や目に入り込み、皮膚に接触してしまう。さらに、暑い屋根裏の閉鎖空間でこのような防護服を着用して作業するのは、この作業を行う人に多大な身体的負担をかけることになり得る。また、これらの化学物質の供給や屋根構造体への適用を行う会社は、化学物質による危険性はないと主張している。しかしながら、化学物質にさらされることや、その結果生じる発泡体は、煙霧がすべて完全に消失するまで安全とは言えない。場合によっては、危険な煙霧が消失するのに数日または数週間かかることもあり、その間、家の住人は有毒物質にさらされることになる。
【０００５】
[0005]適用がより簡易で安価であり、危険性が低いスプレー接着剤／発泡剤システムの別の方法が開発されてきた。既存の屋根を改修するこのようなアプローチの１つに、４’×８’の野地板シートが支持垂木またはトラスに接触した直角継手に建築用接着剤のフィレットビード（ｆｉｌｌｅｔ  ｂｅａｄ）を塗布する方法がある。このような接着剤のフィレットビードの塗布は比較的簡単で迅速かつ安価であるが、特に、長期にわたる日々の寒暖で屋根要素が膨張および収縮する間にこのようなフィレットビードが応力を受けた後、この技術が実際に効果的であるかは非常に疑わしい。野地板／垂木の直角継手などの継手に、接着剤、さらには、ある程度可撓性のある接着剤が塗布される場合、当業界において技術的によく知られているように、このような継手デザインは、日々の寒暖で長い年月にわたって通常の膨張／収縮が繰り返されるさい、未熟な接着、粘着または基材破壊や脆弱化のいずれかの誘発を回避するために、接着剤と木との間の接合ラインで強力な引張力およびせん断力を適切に消失しない。このような接着破壊または脆弱化が起これば、強風の事象が最終的に生じた場合、破壊または脆弱化された接着では、最も効力が必要とされる状況で必要な揚力に対する抵抗力を与えられない。
【発明の概要】
【０００６】
[0006]本概要は、詳細な説明において以下にさらに記載する概念から選択したものを簡潔な形で導入するために与えられる。本概要および前述した背景は、特許請求する主題の主要な態様または本質的な態様を特定することを意図したものではない。さらに、本概要は、特許請求する主題の範囲を決定するさいの補助として用いることを意図したものではない。
【０００７】
[0007]屋根トラスまたは垂木と屋根野地板の部分とを固定するための本技術によるシステムが提供される。このシステムは、互いに垂直に配向された第１の略平面部（単に「平面部」ともいう）および第２の略平面部を有するブラケットを含む。複数の横方向に間隔をあけて設けられた突出部が、第２の平面部から離れる方向に向いた第１の平面部の第１の表面から外向きに延びる。複数の横方向に間隔をあけて設けられた接着剤充填孔が、第１の平面部を貫通する。複数の横方向に間隔をあけて設けられた締結孔が、第２の平面部を貫通する。
【０００８】
[0008]少なくとも１つの使用方法において、ブラケットは、第１の平面部から延びる突出部が野地板の部分と係合し、第２の平面部が垂木の側面に接して配置されるように位置付けられる。複数の機械的締結具が、第２の平面部の締結孔の１つ以上を通って垂木内に少なくとも部分的に入れられる。この位置において、突出部を除く第１の平面部の大部分が、野地板と間隔をあけた関係に配置される。次に、ある量の接着剤が第１の平面部にある複数の接着剤充填孔の少なくとも１つを通して流されることで、野地板とブラケットの第１の平面部の第１の表面との間に接着剤層が形成される。接着剤層が第１の平面部の実質的にすべてと確実に接触状態になるようにするために、複数の横方向に間隔をあけて設けられたインジケータ孔が、第１の平面部を貫通するように形成されてもよい。このようにして、ユーザには、著しい量の接着剤がインジケータ孔から逃げることなく、接着剤が第１の平面部を最適に被覆しているというブラケットの長さにわたる視覚的な表示が与えられ得る。
【０００９】
[0009]このシステムは、ノズルの末端部分をカットすることで開口する必要のある密封ノズルを有する標準的な接着剤供給カートリッジを使用して用いられてもよい。このような場合、ユーザが標準的なプラスチック接着剤ノズルを接着剤充填孔にぴったりと適合させるのに適切な直径にカットしやすいようにするためのカットガイドが設けられてもよい。いくつかの実施形態において、カットガイドは両端で開口しており、底に達するまでノズルの狭い端部を滑る。カットガイドがノズルの周りの適所にある状態で、ノズルの先端は、ナイフでノズルから取り除かれてもよい。
【００１０】
[0010]ブラケットの１つの実施形態は、第２の平面部から延び、第１の平面部に連結された１つ以上のガセットを含む。このようにして、第１の平面部および第２の平面部の末端部分は、互いに近付いたり離れたりする動きに抵抗する。少なくとも１つの実施形態において、ブラケットの両側の端部分に一対のガセットが配置される。
【００１１】
[0011]ブラケットのさまざまな実施形態が、第１の平面部の前縁部の中心に形成された尖った突出部を含む。突出部は、感触で、必要であれば、突出部が継手と係合するまで屋根野地板の部分に突出部の鋭い先端を移動させることによって屋根野地板シート間で継手の位置を特定するために使用されてもよい。ブラケットは、垂木に対して取付位置に回転されてもよい。
【００１２】
[0012]別の二重ブラケットに、互いに同一平面上に横方向に間隔をあけて設けられた関係にある一対の第１の略平面部が設けられてもよい。二重ブラケットは、互いに略平行に間隔をあけて設けられた関係にあるように配置された一対の第２の略平面部を含むＵ字状の中央部を含む。Ｕ字状の中央部は、第２の平面部の末端部分間に延びるコネクタ部をさらに含む。複数の横方向に間隔をあけた突出部が、第１の平面部の第１の表面から外向きに延びる。複数の横方向に間隔をあけて設けられた充填孔およびインジケータ孔が、第１の平面部を貫通する。複数の横方向に間隔をあけて設けられた締結孔が、第２の平面部を貫通する。二重ブラケットのいくつかの実施形態が、Ｕ字状の中央部の第２の平面部に形成された複数の逆目タブ（ｂａｒｂｅｄ  ｔａｂ）を含む。逆目タブの末端にある先端は、ユーザが機械的締結具を締結孔に通す準備をしている間、二重ブラケットが逆目タブによって適所に一時的に固定されるように、ユーザが二重ブラケットを垂木またはトラスに押し当て、または打ち込むことができるように、ある角度でコネクタ部の方に向けられる。
【００１３】
[0013]任意のブラケットから延びるように自己釘打ち支持アームが設けられてもよい。いくつかの実施形態において、支持アームは、ブラケットが取付位置にあるとき、支持アームの第１の部分が垂木の側面に接して配置され、第２の部分が垂木の底縁部に接して配置されるように第２の平面部から延びる。支持アームの第２の部分には、ある角度で支持アームから離れる方向に延びるように配置された１つ以上のスピードプロング（ｓｐｅｅｄ  ｐｒｏｎｇ）が設けられ、スピードプロングは、スピードブロングを垂木内に固定し、ブラケットが機械的締結具および接着剤で固定されるまでブラケットを支持するようにハンマーで打たれてもよい。
【００１４】
[0014]本技術により、ハリケーン、竜巻および豪雨の間に受けるような強風によるダメージの影響に対して、既存の住居および準商用ビルの屋根の強度が高められる。この技術は、悪天候の被害を受ける世界中の場所にある数百万戸の既存の家を改修するために使用されてもよい。しかしながら、本技術は、新築を建設している間に使用されてもよい。
【００１５】
[0015]本システムおよび方法の上記および他の態様は、本明細書において詳細な説明および図面を考慮することで明らかになる。
【００１６】
[0016]好ましい実施形態を含む本発明の非制限的かつ非網羅的な実施形態は、以下の図面を参照しながら記載され、図面において、特に明記しない限り、さまざまな図において同様の参照符号は同様の部品を指す。
【図面の簡単な説明】
【００１７】
【図１】屋根部品を相互に固定するために使用され得る本技術によるブラケットの１つの実施形態の上側斜視図を示す。
【図２】図１に示すブラケットの下側斜視図を示し、垂木および屋根野地板の部分に接してブラケットが配置され得る１つの方法を示す。
【図３】垂木および屋根野地板の部分とブラケットが固定され得る１つの方法を示す、本技術によるブラケットの別の実施形態の下側斜視図を示す。
【図４】図３に示すブラケットの等角図を示し、ブラケットと屋根野地板の部分との間に接着剤が配置され得る１つの方法をさらに示す。
【図５】接着剤充填孔との漏れ止め係合を与える接着剤供給カートリッジの先端の１つの実施形態の等角図を示す。
【図６】接着剤供給カートリッジで使用され得るカットガイドの１つの実施形態の等角図を示し、先端をカットする前にカットガイドが接着剤供給カートリッジの先端に結合され得る１つの方法をさらに示す。
【図７】接着剤供給カートリッジとともに使用され得るカットガイドの別の実施形態の等角図を示し、先端をカットする前にカットガイドが接着剤供給カートリッジの先端に連結され得る１つの方法をさらに示す。
【図８】図７に示すカットガイドおよび接着剤供給カートリッジの等角図を示し、接着剤供給カートリッジから先端の部分がカットされ得る１つの方法を示す。
【図９】本技術によるブラケットのさらに別の実施形態の一部分の等角図を示し、ブラケットが屋根野地板シート間の継手に対して設置され得る１つの方法を示す。
【図１０】図５に示すブラケットの斜視図を示し、ブラケットが垂木および２つの屋根野地板シートに対して取付位置に回転され得る１つの方法を示す。
【図１１】本技術によるブラケットのさらに別の実施形態の下側斜視図を示し、このようなブラケットが垂木および屋根野地板の部分に接して配置されれ得る１つの方法を示す。
【図１２】図１１に示すブラケットの別の実施形態の上側斜視図を示す。
【図１３】ブラケットが屋根野地板シート間の継手付近で使用される場合、本技術のブラケットとともに使用されてもよい継手シーリングテープの一部の斜視図を示す。
【図１４】本技術により、１つ以上のブラケットを設置する前に屋根部品間の継手にシーラントが適用され得る１つの方法を示す。
【図１５】屋根部品を相互に固定するために使用されてもよい、本技術によるブラケットのさらに別の実施形態の下側斜視図を示す。
【図１６Ａ】本技術によるブラケットの１つの実施形態の側面図を示し、ブラケットが可撓性接着剤によって垂木と１枚の屋根野地板シートに連結され得る１つの方法をさらに示す。同図は、可撓性接着剤が配置される比較的大きな空間間隙を明確に示し、この間隙は、屋根野地板が時間の経過とともに膨張および収縮するときに接着剤の平行な接合ラインにかかるせん断力を最小限に抑えるために要求される。
【図１６Ｂ】図１６Ａに示すブラケットおよび屋根部品を示し、屋根野地板シートが、ブラケットと屋根野地板シートとの間の接着剤層を撓ませるが、せん断しないように、垂木に対して別の屋根野地板シートの方に移動し得る１つ方法をさらに示す。
【発明を実施するための形態】
【００１８】
[0034]以下、実施形態の一部を形成し、例として、特定の実施形態を示す添付の図面を参照しながら、実施形態についてさらに詳細に記載する。これらの実施形態は、当業者が本発明を実施することができるように十分に詳しく開示されている。しかしながら、実施形態は多くの異なる形態で実施されてもよく、本明細書に示す実施形態に限定されるものとして解釈されるべきではない。したがって、以下の詳細な説明は、限定的な意味でとらえられるべきではない。
【００１９】
[0035]図１〜図１６を参照すると、垂木１２を屋根野地板１４の部分に固定するためのシステム１０が提供されている。システム１０は、互いに垂直方向に向けられた第１の略平面部１８および第２の略平面部２０を有するブラケット１６を含む。少なくとも１つの実施形態において、ブラケット１６は、均一の構造を用いて形成されることで、ブラケット１６は、第１の平面部１８と第２の平面部２０との間である角度に屈曲される。この角度は、多くの実施形態において、９０度または約９０度である。いくつかの実施形態において、ブラケット１６は、亜鉛めっき鋼で形成される。しかしながら、他の金属、ポリマーなどを含む建設業界において既知の他の材料も考慮される。ブラケット１６を形成する材料は、想定される応用で要求される構造的な強度を与えるのに十分な厚さまたはゲージのものである。したがって、ゲージの範囲が考慮される。複数の横方向に間隔をあけて設けられた突出部２２が、第２の平面部２０から離れる方向に向いた、第１の平面部１８の第１の表面２４から外向きに延びる。複数の横方向に間隔をあけて設けられた接着剤充填孔２６が、第１の平面部１８を貫通する。複数の横方向に間隔をあけて設けられた締結孔２８が、第２の平面部１８を貫通する。ブラケット１６のさまざまな実施形態が、１、２、３または４フィートなどのさまざまな長さで提供される。同様に、さまざまな実施形態が、１〜４インチの幅の第１の平面部１８および第２の平面部を有してもよい。しかしながら、より大きなブラケット１６に対して、より大きな幅が考えられる。
【００２０】
[0036]図２を参照すると、少なくとも１つの使用方法において、ブラケット１６の配置は、第１の平面部１８から延びる突出部２２が屋根野地板１４の部分と係合し、第２の平面部２０が垂木１２の側面に接して配置されるようにされる。図３を参照すると、複数の機械的締結具３０が少なくとも部分的に１つ以上の締結孔２８を通って垂木１２に入る。機械的締結具は、建設業界において広く使用されているような、さまざまな寸法およびスタイルの釘やねじを含み得ると考えられる。この位置において、突出部２２を除く第１の平面部１８の大部分が、野地板１４と間隔をあけた関係に配置される。いくつかの実施形態において、この空間は１／１６”〜１”の範囲であってもよい。
【００２１】
[0037]図３および図４を参照すると、第１の平面部１８にある複数の充填孔２６の少なくとも１つを通してある量の接着剤３２が流され得ることで、屋根野地板１４とブラケット１６の第１の平面部１８の第１の表面２４との間に接着剤層３２が形成される。これは、ノズル３６を有する供給カートリッジ３４を使用するコーキングガンに類似した接着剤供給ガンを使用することによって達成されてもよい。このようにして、接着剤充填孔２６は、ノズル３６に適応するような寸法にされる。いくつかの実施形態において、接着剤充填孔２６は、適切にカットまたは成形されたノズル３６が、屋根野地板１４に接触せずに接着剤充填孔２６に入ることを最適な形で可能にするような寸法にされる。図５を参照すると、システム１０のさまざまな実施形態が、接着剤充填孔２６の寸法に近似するように予め成形された供給カートリッジ３４に対するノズル３６を含んでもよい。いくつかの実施形態において、環状カラー３７が、ノズル３６の末端部から延びるように形成され、この末端部は、接着剤充填孔２６の寸法内に完全に適合するソケットを形成する。したがって、ノズル３６と接着剤充填孔２６との間の完全な適合が容易に得られ、ブラケット１６と屋根野地板１４のシートとの間に接着剤が注入されるとき、逆流がほとんどまたはまったく生じない。この形状のノズル３６により、ノズルは第１の平面部１８を通り越して、屋根野地板１４のシートの「底に達する」。
【００２２】
[0038]図６〜図８を参照すると、ノズル３６の末端部をカットして開く必要がある密封ノズル３６を有する標準的な接着剤供給カートリッジ３４を使用したシステム１０が使用されてもよいと考えられる。このような場合、ユーザが接着剤充填孔２６内に完全に適合させるために適切な直径に標準的なプラスチック接着剤ノズルをカットしやすいように、カットガイド４６が設けられてもよい。カットガイド４６は、金属、プラスチックなどのさまざまな材料で作られ得ると考えられる。いくつかの実施形態において、カットガイド４６は両端が開口し、底に達するまでノズル３６の狭い端部にわたって滑る。カットガイド４６の２つの開口端部は、カットガイド４６がテーパ状のノズル３６に対して配置され得るように異なる寸法にされてもよい。図７を参照すると、カットガイド４６のさまざまな実施形態には、カットガイド４６の側面から外向きに延びる一対の対向する支持アーム４８が設けられてもよい。いくつかの実施形態において、支持アームは、ユーザが、供給カートリッジ３４からノズル３６の先端をカットしながら、カットガイド４６を適所にしっかりと快適に保持できるように、カットガイド４６から半径方向に突出するさいにわずかに湾曲にされてもよい。カットガイド４６がノズル３６の周りの適所にある状態で、ノズル３６の先端は、図８に示すように、ノズル３６と最小直径の開口を有するカットガイド４６の端部とが交差する場所で、ナイフでノズル３６から取り除かれてもよい。
【００２３】
[0039]図４を参照すると、第１の平面部１８は、注入される接着剤３２の流れが分かるように透明にして図示されている。これは、屋根野地板１４とブラケット１６との間の予め規定された間隙内に接着剤が注入されるとき、接着剤３２が接着剤充填孔２６から横方向に流れる１つの様子を示す。接着剤３２が横方向に流れるとき、屋根野地板１４の裏側および第１の平面部１８の上面２４の両方に緊密に接触した状態になる。あるいは、接着剤３２が、塗布すると膨張または発泡するように調製されれば、このような調製接着剤３２が、接着性を高めるために標的表面に完全に接触し湿潤させる能力が明確に高まる。接着剤３２がインジケータ孔３８に現れるのをユーザが視認できると、ユーザは、十分な量の接着剤３２が塗布されたことが分かり、このプロセスを繰り返すために次の接着剤充填孔２６に移ることができる。いくつかの実施形態において、第１の平面部１８の第１の表面２４は、接着剤３２がブラケット１６に対して最大の接着性を得ることができるより広い表面積を有する接着表面を生じるように、テクスチャ（サンドブラスト、化学エッチングなどの従来の方法によって形成）を有するように形成することができる。同様に、望ましければ、屋根野地板１４への接着剤３２の接着性をさらに高めるために、屋根野地板１４の裏側に（従来の方法によって）下塗りが施されてもよい。
【００２４】
[0040]本技術を用いるさい、野地１４のタイプにはさまざまなものがあり得ることが考えられる。例えば、さまざまな形態の合板、ＯＳＢ（配向性ストランドボード）などが、住居や準商用ビルでは一般的である。したがって、本技術とともに使用され得る接着剤３２の例は、変性シリコーンポリマーシーラント、およびポリウレタンおよび多硫化系接着剤を含むが、これらに限定されるものではない。接着剤３２の他の例は、さまざまな既知の水溶型および溶剤型接着剤のようなゴムタイプの接着剤を含む。前述した接着剤の任意のものは、適切に調製される場合、硬化すると、対向する構造間の接合に妥当な量の可撓性を与え得る。このような特性は、長期にわたり屋根部品および屋根部品が固定される構造体が、例えば、固まり、膨張し、収縮し得る多くの状況下において望ましい。過度に剛性の接着剤３２は、温度の変化により時間の経過とともに屋根野地板１４が膨張および収縮し、このような強いせん断応力により、接合ラインに接着欠陥を生じてしまう可能性があるため、平行な接合ラインの両方に大きなせん弾力が生じてしまう事態は避けられない。結果的に、接着剤が最初に設置されてから数十年経って強い嵐が最終的に発生したとしても、接着剤の接着性および粘着性の両方が完全に損なわれることがないようにするためには、伸長能力が比較的高い比較的低弾性率の接着剤を使用することが必要とされる。
【００２５】
[0041]使用する接着剤３２のタイプとは関係なく、構造体が互いに固定されるように、屋根野地板１４とブラケットの第１の平面部１８との間に十分な量の接着剤３２を配置することが望ましい。したがって、接着剤３２の層が、第１の平面部１８の実質的にすべてと接触状態にあるように、複数の横方向に間隔をあけて設けられたインジケータ孔３８が、第１の平面部１８を貫通するように形成されてもよい。いくつかの実施形態において、複数のインジケータ孔３８は、接着剤充填孔２６から横方向に間隔をあけて設けられ、接着剤充填孔２６より小さい。このようにして、ユーザには、インジケータ孔３８から著しい量の接着剤３２が逃れることなく、接着剤３２が第１の平面部１８を均等に覆ったブラケット１６の長さにわたって視覚的表示が与えられてもよい。図４に、この視覚的表示の例を示す。本技術を使用する多くの方法は、ブラケット３２と屋根野地板１４との間に接着剤３２を注入する前にブラケット１６を設置するが、塗布器が第１の平面部１８の第１の表面２４に接着剤３２の層を最初に塗布した後、ブラケット１６を設置することが考えられる。
【００２６】
[0042]屋根野地板１４にかかる強風からの揚圧力は、引張力によってまず接着剤３２に伝わった後、ブラケット１６へ、そして最終的に垂木１２へ伝わる。図１および図２を参照すると、ブラケット１６の１つの実施形態は、第２の平面部２０から延び、第１の平面部１８に連結された１つ以上のガセット４０を含む。このようにして、第１の平面部１８および第２の平面部２０の末端部分は、互いに対する動きに抵抗する。いくつかの実施形態において、ガセット４０は、第２の平面部２０と一体構造に形成され、第２の平面部２０から離れる方向に単に折り畳まれる。ガセット４０の末端部分４２は、スポット溶接または他の技術などによって第１の平面部１８に接続されてもよい。少なくとも１つの実施形態において、一対のガセットがブラケット１６の反対の端部に配置される。望ましければ、１つの以上のガセット４０が、特に、ブラケット１６を形成するためにより軽量のゲージ鋼が使用されている場合、ブラケット１６の曲げ傾向に抵抗するのを助けるように、ブラケット１６の端部の中間に配置されてもよい。
【００２７】
[0043]図２を参照すると、システム１０のさまざまな実施形態では、ブラケット１６が使用位置に置かれると、第１の平面部１８と屋根野地板１４のシートとの間に間隙４４が生じる。間隙４４の寸法は、多くの実施形態において、第１の平面部１８から延びる突出部２２の寸法によって規定される。さまざまな実施形態において、間隙４４は、接着剤３２の層が最適に機能するのを助ける。間隙４４により、接着剤３２の層が、ブラケット１６と接着剤３２の層との間の接合ラインおよび接着剤３２の層と屋根野地板シート１４との間の接合ラインで、経時的に屋根部品が加熱および冷却されるときに必然的に生じる膨張力および収縮力を適切に消失する粘弾性を示し得る。したがって、接着破壊や脆弱化を生じる可能性のある過度のせん断力および他の力が長年にわたりこれらの接合ラインに加わらない。いくつかの実施形態において、屋根野地板シート１４と第１の平面部１８との間に形成された間隙４４の幅は、約１／１６”〜約１”である。
【００２８】
[0044]２つの隣接する屋根野地板シート１４と固定されるようにブラケット１６を配置することが望ましい場合もある。このような場合、ブラケットは、２つの屋根野地板シート間の継手５０を中心にして置かれてもよい。図９および図１０を参照すると、ブラケット１６のさまざまな実施形態が、第１の平面部１８の前縁部５４の中心に形成された尖った突出部５２を含む。突出部５２は、感触で、必要であれば、突出部５２が継手５０と係合するまで屋根野地板１４の部分に突出部の鋭い先端を移動させることによって屋根野地板シート１４間で継手５０の位置を特定するために使用されてもよい。図１０に示すように、ブラケット１６は、垂木１２に対して取付位置に回転されてもよい。
【００２９】
[0045]図１１および図１２を参照すると、別の二重ブラケット５６に、互いに同一平面上に横方向に間隔をあけて設けられた関係にある一対の第１の略平面部５８が設けられてもよい。二重ブラケット５６は、互いに略平行に間隔をあけて設けられた関係にあるように配置された一対の第２の略平面部６０を含むＵ字状の中央部を含む。Ｕ字状の中央部は、第２の平面部の末端部分間に延びるコネクタ部６１をさらに含む。多くの点で、二重ブラケットは、コネクタ部６１によって互いに単純に連結される一対の対向するブラケット１６に類似するように形成される。ブラケット５６は、均一の構造を用いて形成されることによって、第１および第２の平面部の間で前述した向きをなすような角度に屈曲される。ブラケット１６と同様に、複数の横方向に間隔をあけた突出部６２が、第１の平面部５８の第１の表面６４から外向きに延びる。複数の横方向に間隔をあけて設けられた接着剤充填孔６６およびインジケータ孔６８が、第１の平面部５８を貫通する。複数の横方向に間隔をあけて設けられた締結孔７０が、第２の平面部５８を貫通する。コネクタ部６１の幅は、Ｕ字状の中央部が標準的な２×４または２×６の垂木１２またはトラスの幅にわたってスライドした後、適所に固定できる寸法である。Ｕ字状の中央部の深さは、さまざまな実施形態において２×４、２×６または２×８の垂木１２またはトラスを収容可能なほどに十分なものである。図１２を参照すると、二重ブラケット５６のいくつかの実施形態が、Ｕ字状の中央部の第２の平面部５８に形成された複数の逆目タブ７２を含む。逆目タブ７２の末端にある先端は、ユーザが機械的締結具３０を締結孔７０に通す準備をしている間、二重ブラケット５６が逆目タブ７２によって適所に一時的に固定されるように、ユーザが二重ブラケット５６を垂木１２またはトラスに押し当て、または打ち込むことができるように、ある角度でコネクタ部６１の方に向けられる。
【００３０】
[0046]さまざまな応用において、タール紙および屋根板が嵐の最中に屋根から吹き飛ばされたさいに漏水しないように、隣接する屋根野地板１４のシート間の継手５０を密封することが望ましい場合もある。図１３を参照すると、いくつかの実施形態においてブチルテープ材料で形成されたテープ部７４が、継手５０にわたって設置され得る。図１４を参照すると、継手５０は、非常に可撓性のある液体塗布シーラントでも密封されてもよい。この応用に対して好ましいタイプのシーラントは、木製部品に接触する接合ラインで過度の応力に耐えることなく、屋根要素の不可避の膨張／収縮に容易に対応できるように、（任意の特定の構造的能力を備えていない）極めて可撓性および弾性があるものである。このようなシーラントまたはテープは、典型的に、ブラケット１６および／または５６の設置および接着剤３２の塗布前に設置される。
【００３１】
[0047]図１５を参照すると、迅速かつ簡単に設置を行うために、ブラケット１６から延びるように自己釘打ち支持アーム７６が設けられてもよい。いくつかの実施形態において、支持アーム７６は、ブラケット１６が取付位置にあるとき、支持アーム７６の第１の部分７６が垂木１２の側面に接して配置され、第２の部分８０が垂木の底縁部に接して配置されるように第２の平面部２０から延びる。支持アーム７６の第２の部分８０には、ある角度で支持アームから離れる方向に延びるように配置された１つ以上のスピードプロング８２が設けられ、スピードプロング８２は、スピードブロング８２を垂木１２内に固定し、ブラケット１６が機械的締結具３０および接着剤３２で固定されるまでブラケット１６を支持するようにハンマーで打たれてもよい。
【００３２】
[0048]図１６Ａを参照すると、少なくとも１つの実施形態において、本システム１０と相互作用するさいの垂木１２および一対の対向する屋根野地板１４のシートの断面が示されている。このような配置において、屋根野地板１４のシートは、垂木１２上に載置しており、垂木１２に固定して取り付けられることが想定されている。屋根野地板シート間には通常の継手５０が示されている。典型的に、継手５０は、屋根の寿命が続く間に起こる典型的な膨張および収縮のための空間が存在するように屋根野地板シートが設置される場合、屋根野地板１４のシート間に残されることになるインチの分数値寸法の間隙である。上記に詳細に記載した方法を用いて、垂木１２および１つの屋根野地板シートに連結されたブラケット１６および接着剤３２の層が示されている。ブラケットの第１の表面２４と屋根野地板１４の裏側との間に間隙４４が存在することで、屋根野地板１４が絶えず加熱および冷却することにより止められない膨張および収縮に応答して、接着剤３２の対向する接合ラインに過度のせん断応力をかけることなく、可撓性の接着剤３２が撓むことができる。このような間隙４４がない場合、接合ラインに作用するせん断力は、時間の経過とともに、片面または両面への接着剤の接合が非常に簡単に脆弱化し、または可撓性接着剤３２の粘着性が破壊し、最終的に、強風が生じたさいに強い応力がかかったときの破壊につながる。図１６Ｂは、一方の屋根野地板シートが隣接する屋根野地板シートの方へシフトして継手５０を締め付ける場合の例を示す。しかしながら、示されているように、可撓性の接着剤３２の層は、間隙４４内において、せん断ではなく変形に応答する。
【００３３】
[0049]特定の構造、材料および方法論的なステップに固有の言葉で本システムについて記載してきたが、添付の特許請求の範囲に規定される本発明が、記載した特定の構造、材料および／またはステップに必ずしも限定されるものではないことを理解されたい。特定の態様およびステップは、特許請求した本発明を実施する形態として記載されている。本発明の多くの実施形態は、本発明の趣旨および範囲から逸脱することなく実施され得るため、本発明は、以下に添付した特許請求の範囲内のものである。他に明記されない限り、本明細書（特許請求の範囲以外）において使用されている寸法、物理的特性などを表すものなどのすべての数や表現は、すべての場合において、「約ないしはおよそ（ａｐｐｒｏｘｉｍａｔｅｌｙ）」という用語で修正されるように理解されるべきである。少なくとも、特許請求の範囲と同等の教義の応用を限定する意図なしに、「約ないしはおよそ」という用語で修正される本明細書または特許請求の範囲に列挙された各数値パラメータは、列挙した有効数字の数の点から通常の丸め法を適用することによって少なくとも解釈されるべきである。さらに、本明細書に開示されたすべての範囲は、任意およびすべての部分的範囲またはその範囲に含まれる任意およびすべての個々の値を列挙する特許請求の範囲の支持を含み提供するように理解されるべきである。例えば、言及した範囲が１〜１０であれば、最小値１と最大値１０との間および／またはそれぞれの値を含む任意およびすべての部分的範囲または個々の値を列挙する特許請求の範囲の支持を含み提供するように考えられるべきであり、すなわち、すべての部分的範囲は、１以上の最小値から始まり、１０以下の最大値で終わる値（例えば、５．５〜１０、２．３４〜３．５６など）または１〜１０の任意の値（例えば、３、５．８、９．９９９４など）である。
【符号の説明】
【００３４】
１０…固定システム、１２…垂木、１４…屋根野地板、１６…ブラケット、１８…第１の平面部、２０…第２の平面部、２２…突出部、２４…第１の平面部の第１の表面、２６…接着剤充填孔、２８…締結孔、３０…機械的締結具、３２…接着剤、３４…接着剤供給カートリッジ、３６…ノズル、３７…環状カラー、３８…インジケータ孔、４０…ガセット、４２…ガセットの末端部分、４４…間隙、４６…カットガイド、４８…支持アーム、５０…継手、５２…突出部、５４…第１の平面部の前縁部、５６…二重ブラケット、５８…第１の平面部対、６０…第２の平面部対、６１…コネクタ部、６２…突出部、６４…第１の平面部の第１の表面、６６…接着剤充填孔、６８…インジケータ孔、７０…締結孔、７２…逆目タブ、７４…テープ部、７６…自己釘打ち支持アーム、７６…支持アームの第１の部分、８０…支持アームの第２の部分、８２…スピードプロング。
【図１】
0005916081.tif 000002
【図２】
0005916081.tif 000003
【図３】
0005916081.tif 000004
【図４】
0005916081.tif 000005
【図５】
0005916081.tif 000006
【図６】
0005916081.tif 000007
【図７】
0005916081.tif 000008
【図８】
0005916081.tif 000009
【図９】
0005916081.tif 000010
【図１０】
0005916081.tif 000011
【図１１】
0005916081.tif 000012
【図１２】
0005916081.tif 000013
【図１３】
0005916081.tif 000014
【図１４】
0005916081.tif 000015
【図１５】
0005916081.tif 000016
【図１６Ａ】
0005916081.tif 000017
【図１６Ｂ】
0005916081.tif 000018